(57)【特許請求の範囲】
【請求項１】
下地上に外装材を略階段状に敷設される横葺き屋根において、
少なくとも１つの段の外装材に開口部を設けると共に、該外装材の裏面と下地間に前記開口部と連通する排水空間を設けたことを特徴とする横葺き屋根の排水構造。
【請求項２】
前記排水空間は、排水部材と固定部材によって形成されると共に、該排水空間上の外装材が固定部材により取付けられていることを特徴とする請求項１に記載の横葺き屋根の排水構造。
【請求項３】
前記開口部は、外装材の長手方向に沿って形成されていることを特徴とする請求項１又は２に記載の横葺き屋根の排水構造。
【請求項４】
前記開口部は、通水可能な被覆材を配したことを特徴とする請求項１乃至３の何れかに記載の横葺き屋根の排水構造。
【発明の詳細な説明】
【０００１】
【発明の属する技術分野】
本発明は、屋根に一体的に組込まれた横葺き屋根の排水構造に関する。
【０００２】
【従来の技術】
一般家屋において、屋根表面を流下する雨水は、軒先に設けられた横樋に集められ、縦樋から排水されている。横樋は、通常、断面形状が半円形であって、合成樹脂により成形されたもので、略同一断面形状の樋支持金具に取付けられ、その金具が軒先の垂木又は鼻隠しに固定されている。
【０００３】
【発明が解決しようとする課題】
このような従来の一般家屋の排水構造においては、屋根と横樋との意匠的な統一性が見られず、屋根の意匠性を損なう場合があった。また樋の存在により、軒先の屋根意匠の自由度が制約されていた。
その他、樋や屋根のメンテナンスには足場が必要であること、樋支持金具を取付けるためには下地が必要であること等の不都合もあった。
【０００４】
そこで、本発明は、上記各課題を解決するためになされたもので、従来の一般家屋の横樋を用いずに、屋根上を流下する雨水の排水を可能にする排水構造を提供することを目的とする。
【０００５】
【課題を解決するための手段】
上記課題を解決するため、下地上に外装材を略階段状に敷設される横葺き屋根において、少なくとも１つの段の外装材に開口部を設けると共に、該外装材の裏面と下地間に前記開口部と連通する排水空間を設けたことを特徴とする横葺き屋根の排水構造とした（請求項１の発明）。
【０００６】
本発明における屋根の排水構造では、略階段状に敷設された外装材からなる横葺き屋根において、少なくとも１段の外装材に開口部を設けるものであり、横葺屋根の意匠性と調和を図ることができる。この開口部から流入する雨水は、屋根の内部の排水空間から横方向に流れて排水される。
よって、従来の樋に代わる屋根の排水構造であって、樋が不要となるので、軒先の意匠性の自由度が高まる。
【０００７】
上記発明において、前記排水空間は、排水部材と固定部材によって形成されると共に、該排水空間上の外装材が固定部材により取付けられていることを特徴とする（請求項２の発明）。
前記排水部材により、下地側への漏水を確実に防止すると共に、前記固定部材により前記開口部を設けた外装材を確実に固定する。
【０００８】
上記発明において、前記開口部は、外装材の長手方向に沿って形成されていることを特徴とする（請求項３の発明）。
よって、屋根上を流下してくる雨水を開口部から排水空間に導くことができる。
【０００９】
上記発明において、前記開口部は、通水可能な被覆材を配したことを特徴とする（請求項４の発明）。
前記排水空間へのゴミ等の流入を阻止することができる。
【００１０】
【発明の実施の形態】
上記発明に係る第１実施形態を図１乃至図３に基づいて説明する。
図１は第１実施形態に係る屋根の排水構造が施工された屋根の斜視図、図２は同構造の要部断面図、図３は同構造を構成する排水部材の斜視図である。
これらの各図及び後述する各図において、同一構成は同一符号により示し、重複した説明を省略する。
【００１１】
第１実施形態に係る屋根の排水構造は、図１に示したように、外装材としての横葺屋根板１を複数段に葺いた横葺屋根において、軒側端から２段目の外装材としての化粧部材３１に開口部２を設けると共に、その開口部２の下方に排水空間３を形成したものである。
横葺屋根上を流下してくる雨水は、前記開口部２からその開口部２に連通している排水空間３に流れ込み、後述する排水手段（例えば図８（ハ）の樋７）を介して、排水される。
【００１２】
前記開口部２は、横葺屋根板１の長手方向であって、屋根の桁行き方向の幅に略等しい幅に形成され、水上側から流れてくる雨水を受入れる。
また流れ方向の前記開口部２の幅Ｗは、雨水が飛び越えることなく、前記排水空間３に流下する程度に形成する。
前記開口部２には、通水可能な被覆材を配するようにしてもよい。
この被覆材は、前記開口部２を覆うもの、例えば、前記化粧部材３１と一体的に形成してもよいし、例えば、図２のように、ゴミ等による「ツマリ」を防ぐため、例えばステンレスメッシュ２０等を被せることでもよい。
この実施形態では、前記開口部２を軒側端から２段目に設けているが、屋根面上どの段に設けてもよく、また一段に限定されるものでもない。
【００１３】
前記排水空間３は、前記開口部２を設けた段に屋根板１を葺した場合に形成されるであろう空間を利用するもので、図１及び図２に示すように、前記開口部２に沿って配置された排水部材３０と、この排水部材３０を固定する固定部材３２を備えている。
【００１４】
前記排水部材３０は、図３のように、前記開口部２から流入してくる雨水を受入れる受入部３００と、この受入部３００からの雨水を集める樋部３０１からなり、受入部３００側を棟側に、樋部３０１側を軒側にして下地４上に配置する。
【００１５】
上記排水部材３０は、非透水性を有する材質により成形され、主に硬質、軟質或は両者を組み合わせた合成樹脂からなる。
軟質材からなる場合、部分的に芯材を配してもよい。特に前記樋部３０１の上面部３０２に芯材を配することにより、その強度を高めることができる。
また、後述するように、上面部３０２を別部材とし、熱溶着で一体化してもよい。
本実施形態では、ゴム、塩ビシート等から長尺状に成形している。
このように軟質な部材を用いた場合、前記固定部材３２への取付に際しての防水性を確保でき、また各納において柔軟に対応することができる。
【００１６】
前記受入部３００は、下地４への漏水を防止するため、前記開口部２の流れ方向幅Ｗよりも幅広に形成され、図２に示したように、その棟側端が保持部材５と共に、下地４に固定されている。
【００１７】
前記樋部３０１は、棟側を開放して断面略コ字状に形成され、その上面部３０２の棟側端に折返３０３が形成されている。
この樋部３０１の容積は、前記開口部２から流入してくる雨量及び落口３０４（図３参照）からの排水量等を基準に、オーバーフローを回避できるように設計する。
このように構成された排水部材３０は、前記折返３０３に前記化粧部材３１の棟側端を挿入し、且つ、前記折返３０３を通し部材である端部押え材６で包持しつつ、前記化粧部材３１と共にビス等を介して前記固定部材３２に固定されている。
このような取付構造によれば、棟側端において排水部材３０と化粧部材３１間への雨水の浸入を阻止することができるので、雨水のオーバーフローに対処できる。
【００１８】
前記樋部３０１には、一時的に貯溜される雨水を排水するため、図３のように、落口３０４が設けられており、この落口３０４は、下地４に設けられた開口４０を介して縦樋等の排水手段に接続されている。
この落口３０４は、前記開口部２の両端部に設ければよいが、樋部３０１での水はけを考慮して、必要な個所に設けてもよい。
【００１９】
前記化粧部材３１は、外装材として屋根を構成すると共に、前記開口部幅Ｗを画するように成形され、前記排水部材３０の樋部３０１を覆っている。なお、化粧部材３１の桁行き方向の幅は、横葺屋根板１と略同一に成形すればよい。
前記化粧部材３１は、後述する横葺屋根板１の素材と同一素材により成形してもよいし、異なる素材により成形してもよい。
同一素材により成形すれば、横葺屋根の意匠性の統一を図ることができる。
前記化粧部材３１の軒側端には、前記横葺屋根板１の軒側成形部１０と同様な軒側成形部３１０が設けられ、唐草部材、保持部材５等を介して下地４に取付けられている。
なお、この化粧部材３１の成形方法は、横葺屋根板１の成形方法と同様であるが、前記横葺屋根板１の棟側を略開口部幅Ｗだけ裁断するようにしてもよい。
【００２０】
前記固定部材３２は、上述のようにビス等により、前記化粧部材３１及び排水部材３０を固定すると共に、棟側に略Ｕ字状部３２０を形成して、棟側端を上段の横葺屋根板１に固定することにより、前記受入部３００への押えとしている。また、軒側を延出して、前記排水部材３０の上面部３０２及び化粧部材３１の面板部３１ａを下方から支える支片３２１を形成している。
この固定部材３２は、図１に示したように、桁行き方向に所定間隔毎に配置固定されている。
なお、前記固定部材３２の棟側は、図２のように、上段横葺屋根板１の上面に延在させても、同屋根板１の保持部材５の裏面、即ち、排水部材３０と保持部材５の間に介在させても、また棟側の保持部材５と一体に形成してもよい。
また、後述の図８（ハ）等のように、固定部材３２と雪止め金具を兼用させてもよい。
【００２１】
前記横葺屋根板１は、軒側に軒側成形部１０が成形され、前記保持部材５を介して下地４に取付けられ、一方、棟側に棟側成形部１１が成形され、前記保持部材５を介して下地４に取付けられる。
この横葺屋根板１は、表面化粧鋼板、ラミネート鋼板、メッキ鋼板、ステンレス鋼板、アルミ合金板、銅板、真鍮板、鉛板等の公知の金属素材、及び炭素繊維積層板、硬質樹脂板等により成形される。
そして、素材が金属板の場合には、ロール成形またはプレス成形、或いは両者の組合せにより成形され、素材が非金属の場合には主として型成形により、それぞれ定尺又は長尺に成形される。これらの素材厚は、特に限定されるものではないが、概ね０．４ないし１．６ｍｍ程度である。
【００２２】
前記下地４は木造、鉄骨造、コンクリート造等の全ての建築躯体をいい、前記躯体上に断熱その他の必要に応じて敷設する木毛セメント板等のボード類を含む。
従って、横葺屋根板１等と躯体との間に介装されるボード類が固定具の取付強度を有する場合を例外として、原則的には横葺屋根板１等を固定するための固定具（ビス類）は躯体を構成する母屋や垂木等の補助部材に固定される。
なお、１２は合成樹脂製のバックアップ材であるが、木毛セメント板等の公知の材料であってもよい。また、下地４と横葺屋根板１等の間に、アスファルトルーフィングやアスファルトフェルト等の防水材を敷設してもよい。
【００２３】
前記排水構造によれば、軒先の意匠の自由度を高めることができ、例えば、図１に示したような略三角形状の軒先１３とすることができる。その他半円形状のもの、半楕円形状のものでもよいし、軒側面を化粧部材で化粧してもよい。
また、前記構造によれば、屋根上からの排水空間３のメンテナンスが可能になる。
【００２４】
次に、第２実施形態に係る屋根の排水構造について、図４（イ）及び（ロ）を参照しつつ説明する。
この第２実施形態に係る排水構造は、第１実施形態の前記排水部材３０に代えて、その折返３０３を省略した排水部材３０Ａを用いる。
そして、この排水部材３０Ａの上方に略平板状の支持部材３３を介在させつつ、棟側端に折返片３１１を設けた化粧部材３１Ａにより、前記支持部材３３及び排水部材３０Ａの棟側端を包持し、オーバーフローに対処する排水構造になっている。
【００２５】
前記支持部材３３は、前記化粧部材３１Ａを裏面から支持し、また前記固定部材３２との間で前記排水部材３０Ａを挟持し、正圧に対して強度を得るもので、棟側端を前記排水部材３０Ａの上面部３０２に揃え、軒側端を前記保持部材５に配置している。
その他の構成は、第１実施形態と同一であるので、同様の作用効果を奏する。
【００２６】
次に、第３実施形態に係る屋根の排水構造について、図５（イ）及び（ロ）を参照しつつ説明する。
第３実施形態に係る排水構造は、第１実施形態の前記排水部材３０に代えて、立上部３０５を設けた排水部材３０Ｂを用いる。
この排水部材３０Ｂの構成に対応させて、棟側端に同様の立上部３１２を設けた化粧部材３１Ｂとし、これら立上部３０５、３１２を端部押え材６Ｂを用いて前記固定部材３２に固定している。
前記立上部３０５、３１２により、前記開口部２を乗越えて、流下しようとする雨水を阻止し、その雨水を前記開口部２に導くことができる。
その他の構成は、第１実施形態と同一であるので、同様の作用効果を奏する。
【００２７】
次に、第４実施形態に係る屋根の排水構造について、図６を参照しつつ説明する。
この第４実施形態に係る排水構造は、第１実施形態の排水部材３０に代えて、その折返３０３を省略し、一方、受入部３００の棟側端に棟側立上部３０６を設けた排水部材３０Ｃを用いる。
この排水部材３０Ｃの構成に対応させて、化粧部材３１Ｃの棟側端に折返片３１１を設け、その折返片３１１により前記排水部材３０Ｃの棟側端を包持し、さらに前記棟側立上部３０６にシーリングを施し、オーバーフローに対処する排水構造となっている。
その他、第１実施形態の排水構造と異なり、軒側端に唐草部材５Ｃと係合する軒側成形部３１０を設けた化粧部材３１Ｃとし、この化粧部材３１Ｃと排水部材３０Ｃとの間に支持部材３３を介在させ、また前記略Ｕ字状部３２０の幅を広げ、且つ、前記支片３２１を省略した固定部材３２Ｃを用いて排水空間３を構成し、横葺屋根の軒側端に配置した。
【００２８】
前記棟側立上部３０６の高さは、オーバーフローとなる水位を基準に決定すればよい。
その他の構成は、第１実施形態と同一であるので、同様の作用効果を奏する。
【００２９】
次に、第５実施形態に係る屋根の排水構造について、図７を参照しつつ説明する。
この第５実施形態は、前記第４実施形態に係る排水部材３０Ｃを基に、上面部３０２の幅寸法を増した排水部材３０Ｄを用い、樋部３０１の容積を増加させたものである。
一方、図７に示すように、樋部３０１の容積を増加させた分、前記開口部２の幅Ｗを狭めると共に、雨水が前記開口部２を乗越えることを阻止するため、前記排水部材３０Ｄの上面部３０２の棟側端に立上部３０５を設ける。また、棟側端に立上部３１２を設けた化粧部材３１Ｄとし、立上部３１２により前記排水部材３０Ｄの立上部３０５を抱持している。
その他の構成は、第４実施形態と同一であるので、同様の作用効果を奏する。
【００３０】
次に、第６実施形態に係る屋根の排水構造について、図８（イ）乃至（ハ）を参照しつつ説明する。
この第６実施形態に係る排水構造は、第１実施形態の排水部材３０に代えて、その折返３０３をさらに軒側に延出して延出部３０７を設け、また受入部３００の棟側端に棟側立上部３０６を設けた排水部材３０Ｅを用いる。
前記延出部３０７の先端は、前記保持部材５の軒側端に位置するように配置されている。よって、雨水がオーバーフローし、万が一、化粧部材３１Ｅと排水部材３０Ｅ間に雨水が浸入しても、その雨水は、延出部３０７に沿って軒側に排出される。
その他、略Ｕ字状部の幅を広げた固定部材３２Ｅを用い、また前記棟側立上部３０６を抱持する保持部材５Ｅを用いる他、第１実施形態と同一であるので、同様の作用効果を奏する。
【００３１】
なお、屋根の流下水量が多い場合には、図８（ハ）のように、上記構成の排水空間３を横葺屋根の軒側端と３段目にそれぞれ設けるようにしてもよい。同図において符号「７」で示すものは、排水手段としての樋である。
【００３２】
次に、第７実施形態に係る屋根の排水構造について、図９（イ）及び（ロ）を参照しつつ説明する。
この第７実施形態は、前記第６実施形態に係る排水構造を基に、樋部３０１の容積を減少させた排水部材３０Ｆを用いるもので、図９に示すように、樋部３０１の上面部３０２の幅が減少したことから前記固定部材３２Ｅに固定片部３２１を設けている。
また、前記棟側立上部３０６を省略して前記保持部材５を用いている他、第６実施形態と同一であるので、同様の作用効果を奏する。
【００３３】
次に、第８実施形態に係る屋根の排水構造について、図１０を参照しつつ説明する。
この第８実施形態に係る構造が、第１実施形態の構造と異なる主な点は、第１にオーバーフロー対策を徹底したこと、第２に排水容積を高めたことである。
第１の点については、排水部材３０Ｇの受入部３００の棟側端を立上げ、さらに棟側に延出した延出立上部３０８を設け、上下の樋エンド部材８０，８１にて挟むように固定している。
第２の点については、樋部３０１の高さ寸法を大きくし、また支持部材３３Ｇを排水部材３０Ｇの上面部３０２の下方に位置させて、樋部３０１の高さをかせいだこと、また保持部材５Ｇを固定片５０から略鉛直に立上げたことである。
前記支持部材３３Ｇの配置により、排水部材３０Ｇの上面部３０２及び化粧部材３１Ｇの面板部３１ａを下方から支持することもできる。
その他、第１実施形態と同一であるので、同様の作用効果を奏する。
【００３４】
次に、第９実施形態に係る屋根の排水構造について、図１１を参照しつつ説明する。
この第９実施形態は、前記第８実施形態に係る排水構造を基にしたもので、前記排水部材３０Ｇの上面部３０２を別部材とし、軒側端部において残りの排水部材と熱溶着して排水部材３０Ｈを構成している。
上面部３０２を、例えば塩ビ鋼板で成形すると共に、排水部材３０Ｈの溶着端部３０９を保持部材５Ｈ上に配置する構造にしている。
このような構造によれば、前記第８実施形態の支持部材３３Ｇが不要となり、また万が一、化粧部材３１Ｈと上面部３０２間に雨水が浸入しても、下地４側に回ることなく、上面部３０２の軒側から前記化粧部材３１Ｈの軒側成形部３１０、下段の横葺屋根板１上へと排水されることにもなる。
その他の構成は、第８実施形態と略同一であるので、同様の作用効果を奏する。
【００３５】
上記各実施形態では、本発明に係る排水構造を横葺屋根に組込んでいるが、これに限定されるものではなく、桁行き方向に屋根を葺くことができる屋根であればよい。
【００３６】
【発明の効果】
請求項１記載の発明によれば、略階段状に敷設された外装材からなる横葺き屋根において、少なくとも１段の外装材に開口部を設けるものであり、横葺屋根の意匠性と調和を図ることができる。この開口部から流入する雨水は、屋根の内部の排水空間から横方向に流れて排水される。
また、請求項２の発明によれば、前記排水部材により、下地側への漏水を確実に防止すると共に、前記固定部材により前記開口部を設けた外装材を確実に固定する。
よって、請求項１及び２の発明により、従来の樋に代わる屋根の排水構造を提供することができる。また、樋が不要となるので、軒先の意匠性の自由度が高まる。
【００３７】
請求項３の発明によれば、屋根上を流下してくる雨水を開口部から排水空間に導くことができる。
【００３８】
請求項４の発明によれば、前記排水空間へのゴミ等の流入を阻止することができる。
【図面の簡単な説明】
【図１】第１実施形態に係る排水構造を施工した屋根の斜視図、
【図２】同排水構造の断面図、
【図３】同排水構造の排水部材の斜視図、
【図４】（イ）は第２実施形態に係る排水構造に用いる排水部材の側面図、（ロ）は同排水構造の断面図、
【図５】（イ）は第３実施形態に係る排水構造に用いる排水部材の側面図、（ロ）は同排水構造の断面図、
【図６】第４実施形態に係る排水構造の断面図、
【図７】第５実施形態に係る排水構造の断面図、
【図８】（イ）は第６実施形態に係る排水構造に用いる排水部材の側面図、（ロ）は同排水構造の断面図、（ハ）は同排水構造の断面図、
【図９】第７実施形態に係る排水構造の断面図、
【図１０】第８実施形態に係る排水構造の断面図、
【図１１】第９実施形態に係る排水構造の断面図。
【符号の説明】
１  横葺屋根板
１０  軒側成形部                        １１    棟側成形部
１２  バックアップ材                    １３  軒先
２  開口部                              ２０  ステンレスメッシュ
３  排水空間
３０  ３０Ａ  ３０Ｂ  ３０Ｃ  ３０Ｄ  ３０Ｅ  ３０Ｆ  ３０Ｇ  ３０Ｈ  排水部材
３００  受入部                          ３０１  樋部
３０２  上面部                          ３０３  折返
３０４  落口                            ３０５  立上部
３０６  棟側立上部                      ３０７  延出部
３０８  延出立上部                      ３０９  溶着端部
３１  ３１Ａ  ３１Ｂ  ３１Ｃ  ３１Ｄ  ３１Ｅ  ３１Ｈ  ３１Ｇ  化粧部材
３１０  軒側成形部                      ３１１  折返片
３１２  立上部                          ３１ａ  面板部
３２  ３２Ｃ  ３２Ｅ  固定部材
３３  ３３Ｇ  支持部材                  ３２１  支片
３２０  略Ｕ字状部
４  下地                                ４０  開口
５  ５Ｅ  ５Ｇ  ５Ｈ  保持部材          ５Ｃ  唐草部材
５０  固定片
６  ６Ｂ  端部押え材
７  樋
８０  ８１  樋エンド部材
【図１】
0003562634.tif 000002
【図２】
0003562634.tif 000003
【図３】
0003562634.tif 000004
【図４】
0003562634.tif 000005
【図５】
0003562634.tif 000006
【図６】
0003562634.tif 000007
【図７】
0003562634.tif 000008
【図８】
0003562634.tif 000009
【図９】
0003562634.tif 000010
【図１０】
0003562634.tif 000011
【図１１】
0003562634.tif 000012